(57)【要約】 【課題】本発明は、ラックの転倒を防止するためのラック転倒防止装置に関する発明である。【解決手段】  本発明は、Ｌ字板７ｄを連設した左板７と平板の右板７ａを正面に垂設した前取付板６と上面内側より下方に向かってＬ字棒８を垂設し前取付板６と留め具６ｂにより連結された後取付板６ａと前記左右板７、７ａの間で軸７ｃにより回動可能に取り付けられ上下にスライド移動可能なアーム９を備えた回転筒９ｂとからなる装置本体１ａと、下面にＬ字型の取付部材１０ｂを備え蝶番１０ｃを介して開閉部材１０ａを連設した接続部材１０と取付部材１０ｂを取り付けたガイド棒１１からなる補助装置５とからなることを特徴とするラック転倒防止装置１である。【選択図】  図１
2007222302.tif 000002
【特許請求の範囲】
【請求項１】
Ｌ字板を連設した左板と平板の右板を正面に垂設した前取付板と上面内側より下方に向かってＬ字棒を垂設し前取付板と留め具により連結された後取付板と前記左右板の間で軸により回動可能に取り付けられ上下にスライド移動可能なアームを備えた回転筒とからなる装置本体と、下面にＬ字型の取付部材を備え蝶番を介して開閉部材を連設した接続部材と取付部材を取り付けたガイド棒からなる補助装置とからなることを特徴とするラック転倒防止装置。
【請求項２】
平板の左板とＬ字板を連設した右板を正面に垂設した前取付板とからなることを特徴とする請求項１に記載のラック転倒防止装置。
【請求項３】
下面にＬ字型の取付部材を備え蝶番を介して開閉部材を連設した接続部材と、前記取付部材を取り付けたガイド棒からなる補助装置とからなることを特徴とする請求項１又は請求項２に記載のラック転倒防止装置。
【発明の詳細な説明】
【技術分野】
【０００１】
本発明は、ラックの転倒を防止するためのラック転倒防止装置に関する発明である。
【背景技術】
【０００２】
従来、ラック等の転倒を防止するにはラック上面と天井の間に突っ張り棒を渡す方法やフックにより壁とラックを固定する方法が取られていた。
【０００３】
しかしながら、従来のラックの固定方法では、突っ張り棒が耐えうる以上の振動の場合に外れてしまうことがあり、また設置の際にラック及び天井と突っ張り棒を垂直にした状態で取り付けなければ本来の効果を発揮できず安定感に欠けるものがあった。
【０００４】
また、壁とラックをフックにより固定する場合も、フックをネジ止めするために開けた壁のネジ孔がしだいに緩くなってしまい、地震などを繰り返すことによりネジが簡単に外れるようになり、新たなネジ孔を開けて固定し直したりしなければならず問題があった。
【０００５】
更に、ラックの配置換えなどの場合、新たに突っ張り棒を設置し直したり、フックのためのネジ孔を開けなければならず、非常に面倒であった。
【特許文献１】特開平０９−０００３７１号公報
【発明の開示】
【発明が解決しようとする課題】
【０００６】
そこで、本発明は、容易に取付け及び取り外しができ、また取り付けた際は強力に固定することができるラック転倒防止装置を提供することを目的とするものである。
【課題を解決するための手段】
【０００７】
本発明は、上記の課題を解決するために、Ｌ字板７ｄを連設した左板７と平板の右板７ａを正面に垂設した前取付板６と上面内側より下方に向かってＬ字棒８を垂設し前取付板６と留め具６ｂにより連結された後取付板６ａと前記左右板７、７ａの間で軸７ｃにより回動可能に取り付けられ上下にスライド移動可能なアーム９を備えた回転筒９ｂとからなる装置本体１ａと、下面にＬ字型の取付部材１０ｂを備え蝶番１０ｃを介して開閉部材１０ａを連設した接続部材１０と取付部材１０ｂを取り付けたガイド棒１１からなる補助装置５とからなることを特徴とするラック転倒防止装置１の構成とした。
【発明の効果】
【０００８】
本発明のラック転倒防止装置は、簡単に取付及び取り外しができ、更に取り付けた際の強力な固定力を維持することが可能であるため、安心してラック等を補強することができる。
【０００９】
また、補強箇所毎にフック等でネジ止めするのではなく、壁等に取り付けられた取付バーに転倒防止装置を介してラック等を固定するためネジの緩みによるラックの転倒がない。
【００１０】
更に、取付バーに転倒防止装置を取り付けるため壁等に直接孔を開ける必要がなく壁等を傷つけることがなく安全に固定することができる。
【発明を実施するための最良の形態】
【００１１】
取付設置及び取り外しが簡単で、また取り付けた際の補強効果が高く、更に取付の際に壁などを傷つけることがない転倒防止装置という目的を、装置本体１ａと補助装置５からなるラック転倒防止装置１とすることで実現した。
【実施例１】
【００１２】
図１は本発明であるラック転倒防止装置を使用した状態を示した拡大図である。図１に示すように、本発明であるラック転倒防止装置１は、装置本体１ａと装置本体１ａに連結する補助装置５とからなる。装置本体１ａは、保持部４と取付部４ａからなる。保持部４には、回動可能にアーム９が取り付けられている。
【００１３】
装置本体１ａは、壁等に取り付けられている取付バー２に固定し、補助装置５はラック３に固定する。取付バー２を介して壁等に固定されている装置本体１ａとラック３に固定されている補助装置５を連結することで、ラック３は壁等に固定されることとなる。図２以降を使用して本発明であるラック転倒防止装置１の構造を説明することとする。
【００１４】
図２は本発明であるラック転倒防止装置を構成する装置本体の斜視図、図３は装置本体の正面図、図４は装置本体の左側面図、図５は装置本体の右側面図、図６は装置本体の平面図、図７は装置本体の底面図、図８は装置本体の背面図である。
【００１５】
図２から図８に示すように、本発明であるラック転倒防止装置１の保持部４は、Ｌ字板７ｄを連設した左板７と平板の右板７ａを正面に垂設した前取付板６と、上面内側より下方に向かってＬ字棒８を垂設し前取付板６と留め具６ｂにより連結された後取付板６ａと、左右板７、７ａの間で軸７ｃにより回動可能に取り付けられ上下にスライド移動可能なアーム９を備えた回転筒９ｂとからなる。
【００１６】
左右板７、７ａの先端の下角付近は接続棒７ｂにより互いに連結されており、左板７に連設されたＬ字板７ｄの起立部７ｅは、左板７より外方に向かって垂直に起立している。また、Ｌ字棒８の底面８ａは略扇型をしている。
【００１７】
アーム９の上部には制御板９ａが取り付けられており、アーム９の下部には留め具９ｃが取り付けられている。制御板９ａと留め具９ｃが取り付けられていることにより、アーム９は回転筒９ｂ内をスライド移動しても抜けて外れることはない。
【００１８】
前後取付板６、６ａの上面同士を重ね合わせて略コの字状にし、前後取付板６、６ａの側面で取付バー２を挟み、上面より留め具６ｂ、６ｂによって前後取付板６、６ａと取付バー２を連結する。留め具６ｂ、６ｂはナット６ｃ、６ｃで締める。
【００１９】
図９は本発明であるラック転倒防止装置を構成する装置本体の正面図である。装置本体１ａの取付部４ａは、保持部４とほぼ同様の形状をしている。即ち、平板の左板７とＬ字板７ｄを連設した右板７ａを正面に垂設した前取付板６と、上面内側より下方に向かってＬ字棒８を垂設し前取付板６と留め具６ｂにより連結された後取付板６ａと、左右板７、７ａの間で軸７ｃにより回動可能に取り付けられ上下にスライド移動可能なアーム９を備えた回転筒９ｂとからなる。
【００２０】
前述のように、保持部４と取付部４ａの違いは、Ｌ字板７ｄが左板７に連設されているか、右板７ａに連設されているかである。
【００２１】
図１０は本発明であるラック転倒防止装置を構成する補助装置の正面図、図１１は補助装置の左側面図、図１２は補助装置の平面図、図１３は補助装置の平面図である。
【００２２】
図１０から図１３に示すように、補助装置５は下面にＬ字型の取付部材１０ｂを備え蝶番１０ｃを介して開閉部材１０ａを連設した接続部材１０と、取付部材１０ｂを取り付けたガイド棒１１とからなる。
【００２３】
接続部材１０の上面にはコの字型の受け部１０ｇが取り付けられており、開閉部材１０ａの上面にはスライド棒１０ｆを備えた土台１０ｅが取り付けられている。更にスライド棒１０ｆには摘み１０ｄが取り付けられており、摘み１０ｄを摘んでスライド棒１０ｆをスライドさせることができる。
【００２４】
スライド棒１０ｆを左にスライドさせるとスライド棒１０ｆの先端が受け部１０ｇ内に入り込み開閉部材１０ａと接続部材１０が開かなくなる。逆にスライド棒１０ｆを右にスライドさせるとスライド棒１０ｆの先端が受け部１０ｇから外れ開閉部材１０ａが開閉できる状態となる。
【００２５】
図１４は本発明であるラック転倒防止装置の正面図、図１５はラック転倒防止装置の平面図である。装置本体１ａと補助装置５を連結するには、まず、装置本体１ａのアーム９を引き上げ、回転筒９ｂを回転させることでアーム９を装置本体１ａの正面側に倒す。
【００２６】
装置本体１ａから正面に向かって伸びたアーム９の制御板９ａから右側の部分を補助装置５の接続部材１０に嵌め込み、開閉部材１０ａを閉じる。このとき、開閉部材１０ａが勝手に開かないようにスライド棒１０ｆを受け部１０ｇに嵌め込んで鍵をする。これにより装置本体１ａと補助装置５はしっかりと連結され勝手に外れることはない。
【００２７】
図１６は本発明であるラック転倒防止装置を構成する補助装置の第２実施例の正面図、図１７は補助装置の第２実施例の平面図、図１８は補助装置の第２実施例の平面図、図１９は補助装置の第２実施例の左側面図である。
【００２８】
図１６から図１９に示すように、嵌着部材５ａは下面にＬ字型の取付部材１２ｃを備え蝶番１２ｂを介して開閉部材１２ａを連設した接続部材１２と、取付部材１２ｃを取り付けたガイド棒１１とからなる。
【００２９】
接続部材１２には上部に凹部１２ｅを備えた受け部１２ｄが取り付けられており、開閉部材１２ａの内壁面には凸部１２ｇを備えた係合部１２ｆが取り付けられている。蝶番１２ｂを回動させて開閉部材１２ａを接続部材１２に被せたとき、凸部１２ｇが凹部１２ｅとしっかり係合する。
【００３０】
図２０は本発明であるラック転倒防止装置の正面図、図２１はラック転倒防止装置の平面図である。図２０及び図２１に示すように、装置本体１ａと嵌着部材５ａを連結する場合、まず、装置本体１ａのアーム９を引き上げ回転筒９ｂを回動させてアーム９を装置本体４の正面側に垂直に倒す。
【００３１】
そして、アーム９の制御板９ａより右側の部分を開閉部材１２内に嵌め込ませて開閉部材１２ａで閉じる。これにより接続装置４と嵌着部材５ａはしっかりと連結される。
【００３２】
図２２は本発明であるラック転倒防止装置の装置本体１ａを取り付けた状態を示した図、図２３は本発明であるラック転倒防止装置によりラックを固定した状態を示した図である。
【００３３】
図２２及び図２３に示すように、装置本体１ａは壁等に取り付けられた取付バー２に交互に取り付けられている。これは、装置本体１ａ、１ａはラック３の右側及び左側に取り付けられる。
【図面の簡単な説明】
【００３４】
【図１】本発明であるラック転倒防止装置を使用した状態を示した拡大図である。
【図２】本発明であるラック転倒防止装置を構成する装置本体の斜視図である。
【図３】本発明であるラック転倒防止装置を構成する装置本体の正面図である。
【図４】本発明であるラック転倒防止装置を構成する装置本体の左側面図である。
【図５】本発明であるラック転倒防止装置を構成する装置本体の右側面図である。
【図６】本発明であるラック転倒防止装置を構成する装置本体の平面図である。
【図７】本発明であるラック転倒防止装置を構成する装置本体の底面図である。
【図８】本発明であるラック転倒防止装置を使用する装置本体の背面図である。
【図９】本発明であるラック転倒防止装置を構成する装置本体の正面図である。
【図１０】本発明であるラック転倒防止装置を構成する補助装置の正面図である。
【図１１】本発明であるラック転倒防止装置で構成する補助装置の左側面図である。
【図１２】本発明であるラック転倒防止装置で構成する補助装置の平面図である。
【図１３】本発明であるラック転倒防止装置で構成する補助装置の平面図である。
【図１４】本発明であるラック転倒防止装置の正面図である。
【図１５】本発明であるラック転倒防止装置の平面図である。
【図１６】本発明であるラック転倒防止装置を構成する補助装置の第２実施例の正面図である。
【図１７】本発明であるラック転倒防止装置を構成する補助装置の第２実施例の平面図である。
【図１８】本発明であるラック転倒防止装置を構成する補助装置の第２実施例の平面図である。
【図１９】本発明であるラック転倒防止装置を構成する補助装置の第２実施例の左側面図である。
【図２０】本発明であるラック転倒防止装置の正面図である。
【図２１】本発明であるラック転倒防止装置の平面図である。
【図２２】本発明であるラック転倒防止装置を取り付けた状態を示した図である。
【図２３】本発明であるラック転倒防止装置を使用した状態を示した図である。
【符号の説明】
【００３５】
１      ラック転倒防止装置
１ａ    装置本体
２      取付バー
３      ラック
４      保持部
４ａ    取付部
５      補助装置
５ａ    嵌着部材
６      前取付板
６ａ    後取付板
６ｂ    留め具
６ｃ    ナット
７      左板
７ａ    右板
７ｂ    接続棒
７ｃ    軸
７ｄ    Ｌ字板
７ｅ    起立部
８      Ｌ字棒
８ａ    底面
９      アーム
９ａ    制御板
９ｂ    回転筒
９ｃ    留め具
１０      接続部材
１０ａ    開閉部材
１０ｂ    取付部材
１０ｃ    蝶番
１０ｄ    摘み
１０ｅ    土台
１０ｆ    スライド棒
１０ｇ    受け部
１１      ガイド棒
１２      接続部材
１２ａ    開閉部材
１２ｂ    蝶番
１２ｃ    取付部材
１２ｄ    受け部
１２ｅ    凹部
１２ｆ    係合部
１２ｇ    凸部
【図１】
2007222302.tif 000003
【図２】
2007222302.tif 000004
【図３】
2007222302.tif 000005
【図４】
2007222302.tif 000006
【図５】
2007222302.tif 000007
【図６】
2007222302.tif 000008
【図７】
2007222302.tif 000009
【図８】
2007222302.tif 000010
【図９】
2007222302.tif 000011
【図１０】
2007222302.tif 000012
【図１１】
2007222302.tif 000013
【図１２】
2007222302.tif 000014
【図１３】
2007222302.tif 000015
【図１４】
2007222302.tif 000016
【図１５】
2007222302.tif 000017
【図１６】
2007222302.tif 000018
【図１７】
2007222302.tif 000019
【図１８】
2007222302.tif 000020
【図１９】
2007222302.tif 000021
【図２０】
2007222302.tif 000022
【図２１】
2007222302.tif 000023
【図２２】
2007222302.tif 000024
【図２３】
2007222302.tif 000025